(57)【特許請求の範囲】
【請求項１】
自らの姿勢もしくはその変化またはその両方を検出する姿勢検出部と、
前記姿勢検出部の検出結果を監視し、その検出結果に基づいて、ジェスチャーモードおよび非ジェスチャーモードを含む複数の動作モードの中から前記自らの姿勢に応じた動作モードを選択するモード選択部と、
前記ジェスチャーモードが選択されているとき、前記姿勢検出部の検出結果に応じた制御コマンドを電子機器に送信する送信部と
を備え、
前記非ジェスチャーモードは、前記電子機器の操作とは無関係の動作を行うモードである
操作端末装置。
【請求項２】
前記操作端末装置はモバイル端末である
請求項１に記載の操作端末装置。
【請求項３】
前記モード選択部は、前記非ジェスチャーモードにおいて、前記姿勢検出部の検出結果が通常の使用では起こりにくいものであったときに、前記ジェスチャーモードに移行するように選択する
請求項２に記載の操作端末装置。
【請求項４】
前記モード選択部は、前記姿勢検出部が取得した姿勢が、所定の状態に所定期間維持されたときに、対応する動作モードに移行するように選択する
請求項２に記載の操作端末装置。
【請求項５】
さらに、
タッチにより情報入力を行うタッチパネルと、
前記姿勢検出部の検出結果と前記タッチパネルにより入力された情報とに基づいて、前記制御コマンドを生成する制御コマンド生成部と
を備えた
請求項２に記載の操作端末装置。
【請求項６】
前記複数の動作モードは、複数の異なるジェスチャーモードを含む
請求項１に記載の操作端末装置。
【請求項７】
前記送信部は、制御コマンドと、その制御コマンドが前記電子機器に指示する動作との関係を示す制御コマンド情報を送信する
請求項１に記載の操作端末装置。
【請求項８】
前記制御コマンド情報は、さらに、前記操作端末装置の姿勢もしくはその変化またはその両方の情報を含む
請求項７に記載の操作端末装置。
【請求項９】
電子機器と
前記電子機器を操作する操作端末装置と
を備え、
前記操作端末装置は、
自らの姿勢もしくはその変化またはその両方を検出する姿勢検出部と、
前記姿勢検出部の検出結果を監視し、その検出結果に基づいて、ジェスチャーモードおよび非ジェスチャーモードを含む複数の動作モードの中から前記自らの姿勢に応じた動作モードを選択するモード選択部と、
前記ジェスチャーモードが選択されているとき、前記姿勢検出部の検出結果に応じた制御コマンドを前記電子機器に送信する送信部と
を有し、
前記非ジェスチャーモードは、前記電子機器の操作とは無関係の動作を行うモードである
電子機器システム。
【発明の詳細な説明】
【技術分野】
【０００１】
本発明は、操作端末、その操作端末によって操作される電子機器、および操作端末と電子機器とを含んで構築される電子機器システムに関する。
【背景技術】
【０００２】
近年、重力センサや加速度センサなどのセンサを内蔵し、そのセンサから得られる情報に基づいて操作を行うことができる電子機器が注目を集めている。このようなセンサを搭載した電子機器は、例えばその姿勢を変えることにより、直観的に操作することができるため、高機能化および多機能化が進みユーザ操作も複雑化しつつある近年の電子機器において、その利用が拡大する傾向にある。
【０００３】
例えば、特許文献１には、傾き検出センサを内蔵した携帯情報端末が開示されている。この携帯情報端末を傾けると、傾き検出センサがその傾き方向を検出する。例えば、傾いた状態で携帯情報端末に設けられた機能スイッチを操作することにより、その傾き方向にカーソルを移動させることができるようになっている。
【先行技術文献】
【特許文献】
【０００４】
【特許文献１】特開２００２−７３２４７号公報
【発明の概要】
【発明が解決しようとする課題】
【０００５】
ところで、電子機器を操作するリモコンは、近年の電子機器の高機能化および多機能化により、配置されるボタンが多くなる傾向にある。よって、ユーザは、配置された多くのボタンの中から操作するボタンを探す必要があり、しばしば煩わしさを感じてしまう。そこで、リモコンに上述したような重力センサや加速度センサなどのセンサを内蔵し、そのリモコンの姿勢を変化させることにより操作ができるようにすると、操作するボタンの数を減らすことができ、また直観的に電子機器を遠隔操作できるため大変便利である。
【０００６】
しかしながら、このようにリモコンに内蔵したセンサを利用して入力操作が行えるようにした場合には、ユーザが意図的にボタンを押すことによって電子機器を操作する場合とは異なり、ユーザが意図しないときに姿勢の変化が検出され、勝手に電子機器に対する遠隔操作が行われてしまうおそれがある。
【０００７】
本発明はかかる問題点に鑑みてなされたもので、その目的は、操作端末の向きやその動きにより電子機器の遠隔操作する際、ユーザが意図しないときに操作が行われる可能性を低減可能な、操作端末装置、電子機器、および電子機器システムを提供することにある。
【課題を解決するための手段】
【０００８】
本発明の操作端末装置は、姿勢検出部と、モード選択部と、送信部とを備えている。姿勢検出部は、自らの姿勢もしくはその変化またはその両方を検出するものである。モード選択部は、姿勢検出部の検出結果を監視し、その検出結果に基づいて、ジェスチャーモードおよび非ジェスチャーモードを含む複数の動作モードの中から自らの姿勢に応じた動作モードを選択するものである。送信部は、ジェスチャーモードが選択されているとき、姿勢検出部の検出結果に応じた制御コマンドを電子機器に送信するものである。非ジェスチャーモードは、電子機器の操作とは無関係の動作を行うモードである。ここで、「姿勢もしくはその変化またはそれらの両方」は、自らの姿勢状態またはその状態変化から得られる情報を含む広い概念であり、具体的には、例えば、自らの姿勢の静的状態（向き）、姿勢の変化の有無、変化の方向、変化の大きさ（変化量）、もしくは変化速度（加速度）、またはそれらのうちの任意の組み合わせが相当する。
【０００９】
本発明の電子機器は、受信部と、制御部とを備えている。受信部は、操作端末装置の姿勢もしくはその変化またはその両方に基づく制御コマンドを、操作端末装置から受信するとともに、制御コマンドとその制御コマンドが指示する動作との関係を示す制御コマンド情報を受信するものである。制御部は、受信部が受信した制御コマンドを、制御コマンド情報に基づいて解釈し所定の処理を行うものである。
【００１０】
本発明の電子機器システムは、上記本発明の操作端末装置を備えたものである。
【００１１】
本発明の操作端末装置、電子機器、および電子機器システムでは、操作端末装置の向きやその動きなどにより、電子機器が遠隔操作される。その際、姿勢検出部からの検出結果に基づいてジェスチャーモードにした後に、その検出結果に応じた制御コマンドが電子機器に対して送信され、電子機器はその制御コマンドに基づいて操作される。
【００１２】
本発明の操作端末装置は、例えばモバイル端末が適用可能である。この場合、モード選択部は、例えば、非ジェスチャーモードにおいて、姿勢検出部の検出結果が通常の使用では起こりにくいものであったときに、ジェスチャーモードに移行するように選択するのが望ましい。また、モード選択部は、例えば、姿勢検出部が取得した姿勢が、所定の状態に所定期間維持されたときに、対応する動作モードに移行するように選択してもよい。上記操作端末装置は、例えば、さらに、タッチにより情報入力を行うタッチパネルと、姿勢検出部の検出結果とタッチパネルにより入力された情報とに基づいて、制御コマンドを生成する制御コマンド生成部とを備えていても良い。
【００１３】
複数の動作モードは、例えば、複数の異なるジェスチャーモードを含んでいても良い。
【００１４】
送信部は、例えば、制御コマンドと、その制御コマンドが電子機器に指示する動作との関係を示す制御コマンド情報を送信してもよい。この場合、制御コマンド情報は、例えば、さらに、操作端末装置の姿勢もしくはその変化またはその両方の情報を含んでいてもよい。
【００１５】
本発明の電子機器は、例えば、さらに、制御コマンド情報に基づいて表示を行う表示部を備え、制御コマンド情報は、操作端末装置の姿勢もしくはその変化またはその両方の情報をも含むようにしてもよい。
【発明の効果】
【００１６】
本発明の操作端末装置、電子機器、および電子機器システムによれば、姿勢検出部の検出結果に基づいて動作モードをジェスチャーモードに切り替え、電子機器を遠隔操作するようにしたので、ユーザが意図しないときに電子機器の遠隔操作が行われる可能性を低減できる。
【図面の簡単な説明】
【００１７】
【図１】本発明の第１の実施の形態に係る電子機器システムの一構成例を表す構成図である。
【図２】図１に示した電子機器システムの一構成例を表すブロック図である。
【図３】図１に示した電子機器システムの一動作例を表す状態遷移図である。
【図４】図１に示した電子機器システムの通常モードＮの一動作例を表す説明図である。
【図５】図１に示した電子機器システムのジェスチャーモードＧの一動作例を表す説明図である。
【図６】図１に示したモバイル機器の姿勢の例を表す説明図である。
【図７】図１に示した電子機器システムの一動作例を表す流れ図である。
【図８】図１に示した電子機器システムの他の動作例を表す説明図である。
【図９】本発明の第１の実施の形態の変形例に係る電子機器システムの一動作例を表す流れ図である。
【図１０】本発明の第１の実施の形態の他の変形例に係る電子機器システムの一構成例を表す構成図である。
【図１１】本発明の第１の実施の形態の他の変形例に係るモバイル機器の一動作例を表す説明図である。
【図１２】本発明の第１の実施の形態の他の変形例に係る電子機器システムの一動作例を表す状態遷移図である。
【図１３】本発明の第２の実施の形態に係る電子機器システムの一構成例を表すブロック図である。
【図１４】本発明の第３の実施の形態に係る電子機器システムの一構成例を表すブロック図である。
【図１５】図１４に示した電子機器システムに係るジェスチャー動作対応表の一構成例を表す表である。
【図１６】図１４に示した電子機器システムの一表示例を表す説明図である。
【図１７】本発明の第３の実施の形態の変形例に係る電子機器システムの一表示例を表す説明図である。
【発明を実施するための形態】
【００１８】
以下、本発明の実施の形態について、図面を参照して詳細に説明する。なお、説明は以下の順序で行う。
１．第１の実施の形態
２．第２の実施の形態
３．第３の実施の形態
【００１９】
＜１．第１の実施の形態＞
［構成例］
（全体構成例）
図１は、本発明の第１の実施の形態に係る電子機器システムの一構成例を表すものである。なお、本発明の実施の形態に係る操作端末および電子機器は、本実施の形態により具現化されるので、併せて説明する。
【００２０】
電子機器システム１は、表示機器１０と、モバイル機器２０とを備えている。表示機器１０は、この例では、後述するように、アンテナにおいて受信したテレビ放送を表示する表示機器である。モバイル機器２０は、携帯電話、ＰＤＡ（Personal Digital Assistant）、携帯型音楽プレーヤなどの電子機器である。モバイル機器２０は、通信手段Ａにより表示機器１０に対して情報を送信する機能を有している。通信手段Ａは、一般的な表示機器１０が備えているものであることが望ましく、例えば、赤外線による無線通信が望ましい。また、通信手段Ａは、ワイヤレスＬＡＮ（Local Area Network）、Bluetoothなどの無線通信、ＬＡＮ、ＵＳＢ（Universal Serial Bus）などの有線通信であってもよい。モバイル機器２０は、後述するように、重力センサおよびジャイロセンサを備え、モバイル機器２０の姿勢および姿勢の動きにより表示機器１０を操作可能なリモコンとして機能するものである。言い換えれば、ユーザは、例えば表示機器１０を手に持ってジェスチャー動作を行うことにより、表示機器１０を遠隔操作できるようになっている。
【００２１】
図２は、電子機器システム１のモバイル機器２０および表示機器１０の一構成例を表すものである。
【００２２】
モバイル機器２０は、姿勢取得部２１と、動作モード判定部２２と、ジェスチャー判定部２３と、操作入力部２４と、表示出力部２５と、送信部２６と、制御部２７とを備えている。
【００２３】
姿勢取得部２１は、重力センサおよびジャイロセンサを用いて構成されるものであり、モバイル機器２０の姿勢および姿勢の動きを検出するものである。重力センサは、重力に対するモバイル機器２０の向き（姿勢）を検出するものである。ジャイロセンサは、この例では、モバイル機器２０が回転するときの角速度、およびモバイル機器２０が動くときの加速度を検出するものである。つまり、このジャイロセンサは、姿勢の動きを検出するものである。
【００２４】
動作モード判定部２２は、姿勢取得部２１において取得された、モバイル機器２０の姿勢に基づいて、動作モードを判定する機能を有している。動作モードは、センサを用いて表示機器１０の遠隔操作を行わない通常モードＮ（非ジェスチャーモード）と、センサを用いてジェスチャー動作により表示機器１０を遠隔操作するジェスチャーモードＧを有している。通常モードＮは、この例では、センサを用いずに表示機器１０の遠隔操作を行うモードである。なお、通常モードＮは、表示機器１０の遠隔操作とは無関係の動作を行うモードであってもよい。この場合の通常モードＮは、例えば、モバイル機器２０が携帯電話である場合の、電話を待ち受けする状態や、モバイル機器２０が携帯型音楽プレーヤである場合の、音楽を再生している状態を示すものである。動作モード判定部２２は、この通常モードＮとジェスチャーモードＧとを判別するようになっている。
【００２５】
ジェスチャー判定部２３は、姿勢取得部２１において取得された、モバイル機器２０の姿勢およびその姿勢の動きに基づいて、ユーザのジェスチャー動作を判定する機能を有している。
【００２６】
操作入力部２４は、ユーザが情報を入力するためのインターフェースであり、この例では、機械式のボタンや、表示出力部２５に重ねて配置されるタッチパネルなどから構成されるものである。表示出力部２５は、モバイル機器２０の状態やユーザへの指示などを表示するものである。送信部２６は、表示機器１０を遠隔操作するための制御コマンドを生成し、リモコン制御信号として通信手段Ａを用いて送信するものである。このリモコン制御信号は、一般的な表示機器との間で使用されるものである。制御部２７は、これらの回路ブロックが連携して動作するように制御するものである。
【００２７】
表示機器１０は、チューナ１１と、画像処理部１２と、表示出力部１３と、音声処理部１４と、音声出力部１５と、受信部１６と、制御部１７とを備えている。
【００２８】
チューナ１１は、アンテナ９において受信した放送波から、所望の信号を選択し、画像信号および音声信号を出力するものである。画像処理部１２は、チューナ１１から供給された画像信号に対してガンマ処理などの画像信号処理を施す機能を有している。表示出力部１３は、画像処理部１２において処理された画像信号に基づいて表示動作を行うものである。音声処理部１４は、チューナ１１から供給された音声信号に対して音量調整やサラウンド処理などの音声信号処理を施す機能を有している。音声出力部１５は、例えばスピーカにより構成され、音声処理部１４において処理された音声信号に基づいて音声出力を行うものである。受信部１６は、モバイル機器２０から通信手段Ａを用いて送信されたリモコン制御信号を受信するものである。制御部１７は、受信部１６において受信したリモコン制御信号に基づいてこれらの回路ブロックを制御する機能を有している。
【００２９】
この構成により、モバイル機器２０では、その姿勢に基づいて、動作モード判定部２２が動作モードを判定する。動作モードがジェスチャーモードＧである場合には、ユーザがモバイル機器２０を用いてジェスチャー動作することにより、ジェスチャー判定部２３がそのジェスチャー動作を判定し、そのジェスチャー動作に対応したリモコン制御信号が送信されるようになっている。表示機器１０では、このリモコン制御信号に基づいて、様々な動作が行われるようになっている。
【００３０】
ここで、モバイル機器２０は、本発明における「操作端末装置」の一具体例に対応する。表示機器１０は、本発明における「電子機器」の一具体例に対応する。姿勢取得部２１は、本発明における「姿勢検出部」の一具体例に対応する。動作モード判定部２２は、本発明における「モード選択部」の一具体例に対応する。
【００３１】
［動作および作用］
続いて、本実施の形態の電子機器システム１の動作および作用について説明する。
【００３２】
（全体動作概要）
モバイル機器２０では、姿勢取得部２１が、モバイル機器２０の姿勢および姿勢の動きを検出する。動作モード判定部２２は、姿勢取得部２１から供給される情報に基づいて、動作モード（通常モードＮもしくはジェスチャーモードＧ）を判定する。ジェスチャー判定部２３は、姿勢取得部２１から供給される情報に基づいて、ジェスチャー動作を判定する。操作入力部２４は、ユーザによる情報入力を受け付ける。表示出力部２５は、モバイル機器２０の状態やユーザへの指示などを表示する。送信部２６は、表示機器１０をリモコン操作するための制御コマンドを生成し、リモコン制御信号として送信する。制御部２７は、これらの回路ブロックが連携して動作するように制御する
【００３３】
表示機器１０では、チューナ１１が、アンテナ９において受信した放送波から、所望の信号を選択し、画像信号および音声信号を出力する。画像処理部１２は、チューナ１１から供給された画像信号に対して画像信号処理を行う。表示出力部１３は、画像処理部１２において処理された画像信号に基づいて表示動作を行う。音声処理部１４は、チューナ１１から供給された音声信号に対して音声信号処理を行う。音声出力部１５は、音声処理部１４において処理された音声信号に基づいて音声出力を行う。受信部１６は、モバイル機器２０からリモコン制御信号を受信する。制御部１７は、受信部１６において受信したリモコン制御信号に基づいてこれらの回路ブロックを制御する。
【００３４】
（詳細動作）
まず、図３〜図５を参照して、電子機器システム１の各動作モードと、その各動作モードの間の遷移について説明する。
【００３５】
図３は、電子機器システム１の動作モードの状態遷移図を表すものである。図４は、通常モードにおける電子機器システム１の動作例を表すものである。図５は、ジェスチャーモードにおける電子機器システム１の動作例を表すものである。
【００３６】
図３に示したように、電子機器システム１は、通常モードＮとジェスチャーモードＧの２つの動作モードを有している。通常モードＮでは、図４に示したように、モバイル機器２０の表示画面２９はユーザの方向を向いている。この例では、表示画面２９には、表示機器１０の機能を示すボタンが表示されており、ユーザがタッチパネルによりこれらを操作することにより、表示機器１０を遠隔操作できる。ジェスチャーモードＧでは、図５に示したように、モバイル機器２０の表示画面２９はユーザの方向を向いていない。言い換えれば、モバイル機器２０は、このように、通常モードＮにおける通常の使用状態では起こりにくい姿勢になったときに、ジェスチャーモードＧで動作するように設定されている。図３において、遷移Ｃ１は、通常モードＮからジェスチャーモードＧへの遷移を示すものである。つまり、遷移Ｃ１は、モバイル機器２０の姿勢を、図４に示した状態から図５に示した状態に変化させることにより行われる。同様に、図３において、遷移Ｃ２は、ジェスチャーモードＧから通常モードＮへの遷移を示すものである。つまり、遷移Ｃ２は、モバイル機器２０の姿勢を、図５に示した状態から図４に示した状態に変化させることにより行われる。図３において、遷移Ｄは、例えば図４に示したような各種ボタンを操作するなど、通常モードＮにおける様々な動作に対応するものである。遷移Ｅは、例えば図５に示したようにモバイル機器２０の姿勢を維持したままこのモバイル機器２０を上下左右に動かすなど、ジェスチャーモードＧにおける様々な動作に対応するものである。
【００３７】
通常モードＮからジェスチャーモードＧに切り替える際に、モバイル機器２０の姿勢を図５に示したようにする理由は、以下に説明するように、ユーザが意図しないときに誤って動作モードが切り替わってしまう可能性を低減するためである。
【００３８】
図６は、モバイル機器２０の姿勢を表すものであり、（Ａ）はモバイル機器２０の表示画面２９がユーザの方を向いている場合を示し、（Ｂ）はｘ軸を中心にモバイル機器２０を回転させた場合を示し、（Ｃ）はｙ軸を中心にモバイル機器２０を回転させた場合を示す。図６（Ｂ）に示したような、ｘ軸を中心とする回転は、例えばタッチパネルやハードウェアキーの操作など、通常のモバイル機器２０の操作のときにしばしば行われてしまう。一方、図６（Ｃ）に示した、ｙ軸を中心とする回転は、ｘ軸を中心とする回転に比べて行われにくい。つまり、ｙ軸を中心として回転した姿勢は、通常モードＮにおける通常の使用状態では起こりにくい。このように、通常の使用状態では起こりにくい姿勢になったときにジェスチャーモードＧへの切り替えを行うようにすることにより、ユーザが意図しないときに、誤って動作モードが切り替わってしまう可能性を低減することができる。なお、上述した、通常の使用状態では起こりにくい姿勢は、例えば、モバイル機器２０の操作面が上を向いている状態以外の姿勢であり、具体的には、図６（Ｃ）に示したように表示画面２９が図の右を向く場合に限定されるものではなく、図の左を向く場合や、図の向こう側を向く場合であってもよい。
【００３９】
ジェスチャーモードＧでは、上述したように、ユーザは、例えばモバイル機器２０を握り、モバイル機器２０を上下左右に動かす。このとき、図６（Ｃ）に示したようにｙ軸を中心に回転したモバイル機器２０は、ｘ軸を中心に回転したモバイル機器２０（図６（Ｂ））に比べて握り易い。つまり、ユーザは、ｘ軸を中心に回転したモバイル機器２０（図６（Ｂ））を動かすよりも、ｙ軸を中心に回転したモバイル機器２０（図６（Ｃ））を動かす方が扱いやすい。このように、ユーザの使いやすさの観点からも、ジェスチャーモードＧにおいては、図５および図６（Ｃ）に示した姿勢が望ましい。
【００４０】
次に、モバイル機器２０における動作モードの切り替えについて、詳細に説明する。
【００４１】
図７は、動作モードの切り替えを行う場合の流れ図を表すものである。モバイル機器２０では、所定の時間間隔でその姿勢を検出し、姿勢が変化した場合にモード切り替えを行う。以下にフローの各ステップを詳細に説明する。
【００４２】
まず、モバイル機器２０は、初期の姿勢を取得する（ステップＳ１）。具体的には、姿勢取得部２１がモバイル機器２０の姿勢を取得し、動作モード判定部２２が、その取得した姿勢に基づいてその時（初期）の動作モードを判定する。
【００４３】
次に、モバイル機器２０は、現在の姿勢を取得する（ステップＳ２）。具体的には、ステップＳ１と同様に、姿勢取得部２１がモバイル機器２０の姿勢を取得し、動作モード判定部２２が、その取得した姿勢に基づいてその時（現在）の動作モードを判定する。
【００４４】
次に、モバイル機器２０は、姿勢が変更されたどうかを調べる（ステップＳ３）。具体的には、動作モード判定部２２が、ステップＳ１において判定された動作モードと、ステップＳ２において判定された動作モードが異なるかどうかを調べる。これは、すなわち、現在の姿勢（ステップＳ２）が初期の姿勢（ステップＳ１）から変化したかどうかを調べるものである。ステップＳ１とステップＳ２とで、動作モードが異なる場合にはステップＳ４に進む。動作モードに変化がない場合には、ステップＳ２に戻る。
【００４５】
次に、モバイル機器２０はモード切り替えを行う（ステップＳ４）。具体的には、動作モードが通常モードＮからジェスチャーモードＧに切り替わった場合には、制御部２７は、ジェスチャー判定部２３においてジェスチャー動作が判定され、その情報が供給されるたびに、それを送信部２６に対して供給する。そして、送信部２６は、その情報が供給されるたびに制御コマンドを生成し、それをリモコン制御信号として送信する。一方、動作モードがジェスチャーモードＧから通常モードＮに切り替わった場合には、制御部２７は、ジェスチャー判定部２３から供給されるジェスチャー動作に関する情報を送信部２６に供給しないようにする。もしくは、制御部２７は、ジェスチャー判定部２３の動作を停止するようにしてもよい。なお、モバイル機器２０は、この動作モード切り替えが行われた際、例えば音を出力し、あるいはバイブレータを動作させることにより、このモード切り替えが正常に行われたことをユーザに通知するようにしてもよい。
【００４６】
以上でこのフローは終了する。この後、ユーザは、モバイル機器２０がジェスチャーモードＧになった場合には、例えば、図５に示したように、モバイル機器２０を上下左右に動かすことにより、表示機器１０を遠隔操作することができるようになる。一方、モバイル機器２０が通常モードＮになった場合には、例えば、図４に示したように、ユーザは、タッチパネルに表示されたボタンを操作することにより、表示機器１０を遠隔操作できるようになる。
【００４７】
（アプリケーション例）
図８は、ジェスチャー動作のアプリケーション例を表すものであり、（Ａ）は上下左右動作による操作を示し、（Ｂ）はフリーカーソルによる操作を示す。
【００４８】
電子機器システム１では、例えば、図８（Ａ）に示したように、モバイル機器２０を上下左右に動かすことにより、表示機器１０の遠隔操作を行うことができる。これにより、例えば、表示機器１０に表示される電子番組表（ＥＰＧ；Electric Program Guide）を操作することができる。なお、ジェスチャー動作は、表示機器１０の表示を伴う操作に限定されるものではなく、例えば、左右に動かすことにより表示機器１０のチャンネルを変更し、上下に動かすことにより音量を変更するようにしてもよい。また、ジェスチャー動作は、上下左右の動きに限定されるものではなく、例えば、斜め方向の動きを含めるようにしてもよい。
【００４９】
また、電子機器システム１では、例えば、図８（Ｂ）に示したように、モバイル機器２０を動かすことにより、表示機器１０に表示されるカーソルの位置を任意に設定できるフリーカーソルの機能を実現することができる。
【００５０】
［効果］
以上のように本実施の形態では、通常モードおよびジェスチャーモードの２つのモードを設け、切り替えるようにしたので、ユーザがジェスチャー動作による遠隔操作を行いたいときにだけジェスチャーモードに切り替えることができ、ユーザが意図しないときに遠隔操作を行う可能性を低減することができる。
【００５１】
また、本実施の形態では、モバイル機器の姿勢が通常の使用状態では起こりにくい姿勢になったときに動作モードの切り替えを行うようにしたので、ユーザが意図しないときに誤って動作モードが切り替わる可能性を低減することができる。
【００５２】
また、本実施の形態では、モバイル機器は一般的に使用される通信手段Ａおよびリモコン制御信号を用いるようにしたので、表示機器に特別な機能が必要なく、一般的な表示機器を用いることができる。
【００５３】
［変形例１−１］
上記実施の形態では、モバイル機器２０の姿勢の変化を検出した場合に動作モードの切り替えを行うようにしたが、これに限定されるものではない。以下にその例を示す。
【００５４】
図９は、本変形例に係る、動作モードの切り替えを行う場合の流れ図を表すものである。ステップＳ１１〜Ｓ１３、およびステップＳ１５の動作は、上記第１の実施の形態（図７）に係るステップＳ１〜Ｓ３、およびステップＳ４の動作とそれぞれ同様である。つまり、本変形例の流れ図は、図７に示したフローに、ステップＳ１４を追加したものである。以下にステップＳ１４について説明する。
【００５５】
ステップＳ１４において、モバイル機器２０は、所定時間以上同じ姿勢かどうかを調べる。具体的には、動作モード判定部２２は、ステップＳ１１，Ｓ１２において判定された過去の動作モードの判定結果を用いて、姿勢が変更された後に、所定時間以上（例えば１秒以上）同じ姿勢であるかどうかを調べる。所定時間以上同じ姿勢の場合には、ステップＳ１５へ進み、所定時間以上同じ姿勢でない場合には、ステップＳ１２に戻る。
【００５６】
このように、姿勢が変更されてから所定時間その姿勢が維持された後に動作モードの切り替え動作を行うようにすることにより、瞬間的な姿勢変更に応じてモード切り替えが行われることがなくなるため、ユーザが意図しないときに誤って動作モードが切り替わる可能性を低減することができる。
【００５７】
［変形例１−２］
上記実施の形態では、モバイル機器２０は、ジェスチャーモードＧにおいて表示機器１０のみを遠隔操作するようにしたが、これに限定されるものではなく、これに代えて、図１０に示したように、表示機器１０と録画再生機器７０の２つの機器を遠隔操作するようにしてもよい。この場合、例えば、モバイル機器２０を左右に動かすことにより録画再生機器７０の早送りや巻き戻しを行い、上下に動かすことにより表示機器１０の音量を調整するなど、ジェスチャーモードＧ内で２つの機器を操作することができる。
【００５８】
［変形例１−３］
上記実施の形態では、モバイル機器２０は、ジェスチャーモードＧにおいてジェスチャー動作のみにより表示機器１０を遠隔操作するようにしたが、これに限定されるものではなく、例えば、モバイル機器２０の表示出力部２５に重ねて配置されたタッチパネル（操作入力部２４）も用いるようにしてもよい。この場合の例を以下に説明する。
【００５９】
図１１は、本変形例に係る、ジェスチャーモードＧにおける表示出力部２５の表示例を表すものであり、（Ａ）は表示機器１０を遠隔操作する場合を示し、（Ｂ）は変形例１−２と関連させて、表示機器１０および録画再生機器７０を遠隔操作する場合を示す。本変形例では、図１１（Ａ）および図１１（Ｂ）に示したように、表示画面２９にこれらの機器を操作するための項目が表示され、ユーザはその項目のボタンを押しながらジェスチャー動作を行うことにより、これらの機器を遠隔操作する。つまり、この例では、表示機器１０に対する音量操作、チャンネル操作、および録画再生機器７０に対するチャプタ操作、再生スピード操作の項目が表示されており、それらの増減（例えば音量の増減）の指示はジェスチャー動作により行うようにしている。これにより、ユーザは、多くの種類の操作を直観的に行うことができる。
【００６０】
［変形例１−４］
上記実施の形態では、動作モードは通常モードＮとジェスチャーモードＧの２つのモードから構成されるようにしたが、これに限定されるものではなく、これに代えて、例えば、通常モードＮと２つのジェスチャーモードＧ１，Ｇ２の計３つのモードから構成されるようにしてもよい。
【００６１】
図１２は、本変形例に係る電子機器システムの動作モードの状態遷移図を表すものである。この電子機器システムは、通常モードＮと２つのジェスチャーモードＧ１，Ｇ２の３つの動作モードを有している。動作モードの切り替え操作は、例えば、図５に示したように表示画面２９を図の右側に向けた場合にジェスチャーモードＧ１に切り替わり、表示画面２９を図の左側に向けた場合にジェスチャーモードＧ２に切り替わるようにすることができる。もしくは、例えば、姿勢取得部２１のジャイロセンサを用い、図６（Ｃ）に示したように、ｙ軸を中心として正の方向に回転した場合にジェスチャーモードＧ１に切り替わり、負の方向に回転した場合にジェスチャーモードＧ２に切り替わるようにしてもよい。ジェスチャーモードＧ１とジェスチャーモードＧ２の使い分けは、例えば、ジェスチャーモードＧ１ではよく使う機能を操作し、ジェスチャーモードＧ２ではあまり使わない機能を操作するようにしてもよい。また、例えば、変形例１−２のように複数の機器を操作する場合には、ジェスチャーモードＧ１では表示機器１０に対する操作を行い、ジェスチャーモードＧ２では録画再生機器７０に対する操作を行うようにしてもよい。
【００６２】
［その他の変形例］
上記実施の形態では、モバイル機器２０は表示機器１０を遠隔操作するようにしたが、これに限定されるものではなく、通信手段Ａを有するものであれば、いかなる電子機器を遠隔操作するようにしてもよい。
【００６３】
＜２．第２の実施の形態＞
次に、本発明の第２の実施の形態に係る電子機器システム２について説明する。上記第１の実施の形態では、モバイル機器２０は、一般的な表示機器が備えている通信手段Ａを用いてリモコン制御信号を送信するものとしたが、本実施の形態では、これに代えて、専用の表示機器に対して、独自の通信手段を用いて独自の制御コマンドを含むリモコン制御信号を送信するようにしている。なお、上記第１の実施の形態に係る電子機器システム１と実質的に同一の構成部分には同一の符号を付し、適宜説明を省略する。
【００６４】
図１３は、本変形例に係る電子機器システム２の一構成例を表すものである。電子機器システム２は、モバイル機器４０と、表示機器３０とを備えている。
【００６５】
モバイル機器４０は、送信部４６を備えている。送信部４６は、独自の制御コマンドを生成し、リモコン制御信号として通信手段Ｂを用いて送信する。独自の制御コマンドとしては、ジェスチャーモードＧにおいて、例えば、モバイル機器４０を右に動かしたときには、右に動かしたという情報のみを送信するものである。つまり、この例では、この独自の制御コマンドには、モバイル機器４０の操作（ジェスチャー動作）についての情報のみが含まれ、表示機器３０の動作についての情報は含まれておらず、後述するように、表示機器３０において、モバイル機器４０の操作についての情報が表示機器３０の動作についての情報に変換されるようになっている。通信手段Ｂは、ワイヤレスＬＡＮ（Local Area Network）、Bluetooth、赤外線などの無線通信、ＬＡＮ、ＵＳＢ（Universal Serial Bus）などの有線通信などが使用可能である。
【００６６】
表示機器３０は、受信部３６と、コマンド判定部３９とを備えている。受信部３６は、モバイル機器４０の送信部４６から、独自の制御コマンドを含むリモコン制御信号を受信するものである。コマンド判定部３９は、予め定義された、モバイル機器４０の操作と表示機器３０の動作との対応関係に基づいて、受信した独自の制御コマンドを解析し、その結果を制御部１７に供給する機能を有している。
【００６７】
この構成により、ユーザがモバイル機器４０を持ってジェスチャー動作を行うと、表示機器３０は、そのジェスチャー動作の情報を示す独自の制御コマンドを送信する。表示機器３０では、コマンド判定部３９が、受信したその制御コマンドを、上述した対応関係に基づいて解析し、表示機器３０はその制御コマンドに応じた動作を行う。
【００６８】
以上のように本実施の形態では、モバイル機器の操作についての情報を表示機器に対して直接送信するようにしたので、モバイル機器の負荷を低減することができる。その他の効果は、上記第１の実施の形態の場合と同様である。
【００６９】
＜３．第３の実施の形態＞
次に、本発明の第３の実施の形態に係る電子機器システム３について説明する。本実施の形態の電子機器システム３は、表示機器が、モバイル機器のジェスチャー動作と表示機器の動作との対応関係を画面上に表示するようにしたものである。なお、上記第１および第２の実施の形態に係る電子機器システム１，２と実質的に同一の構成部分には同一の符号を付し、適宜説明を省略する。
【００７０】
図１４は、電子機器システム３の一構成例を表すものである。電子機器システム３は、モバイル機器６０と、表示機器５０とを備えている。
【００７１】
モバイル機器６０は、送信部６６を備えている。送信部６６は、例えば通常モードＮからジェスチャーモードＧに切り替わった時などにおいて、ジェスチャー動作対応表ＴＧ（後述）を送信するものである。なお、このジェスチャー動作対応表ＴＧの送信タイミングは、これに限定されるものではなく、例えばモバイル機器６０を用いて表示機器５０を操作する度に送信するようにしてもよい。具体的には、表示機器５０が電子番組表を表示している場合に、モバイル機器６０を用いて上下左右を指示するタイミングや、テレビ番組を表示している場合に、モバイル機器６０を用いて音量やチャンネルを変更するタイミングでジェスチャー動作対応表ＴＧを送信するようにしてもよい。
【００７２】
図１５は、ジェスチャー動作対応表ＴＧの一構成例を表すものである。ジェスチャー動作対応表ＴＧは、ジェスチャーモードＧにおけるジェスチャー動作と、各ジェスチャー動作の際に実際にモバイル機器６０から送信される制御コマンドと、その制御コマンドを受信したときの表示機器５０の動作との対応関係を記述したものである。モバイル機器６０は、このジェスチャー動作対応表ＴＧを表示機器５０にあらかじめ送信した後、表示機器５０に対して独自の制御コマンドを含むリモコン制御信号を送信する。これにより、表示機器５０は、この独自の制御コマンドの具体的な指示内容を把握することができる。
【００７３】
表示機器５０は、受信部５６と、保持部５８と、コマンド判定部５９と、制御部５７とを備えている。受信部５６は、モバイル機器６０の送信部６６から、独自の制御コマンドを含むリモコン制御信号を受信するものである。保持部５８は、受信部５６が受信したジェスチャー動作対応表ＴＧを保持するものである。コマンド判定部５９は、受信した独自の制御コマンドを、ジェスチャー動作対応表ＴＧに基づいて解析し、その結果を制御部５７に供給する機能を有している。制御部５７は、上記第１の実施の形態の制御部１７の機能に加え、モバイル機器６０がジェスチャーモードＧで動作する際に、ジェスチャー動作対応表ＴＧに基づいて操作補助画面７１（後述）を生成し、表示出力部１３に表示するように画像処理部１２を制御するものである。
【００７４】
図１６は、操作補助画面７１の表示例を表すものである。操作補助画面７１は、モバイル機器６０のジェスチャー動作と表示機器の動作との対応関係を示すものである。これにより、ユーザは、ジェスチャー動作を全て覚える必要がなくなり、より簡単に表示機器を遠隔操作することができる。特に、初めて電子機器システム３を使用するユーザがジェスチャー動作を覚える際の、最初の学習の負担を軽減することができる。なお、この操作補助画面７１は、ジェスチャーモードＧにおいて常に表示されるようにしてもよいし、表示および非表示を設定できるようにしてもよい。
【００７５】
ここで、ジェスチャー動作対応表ＴＧは、本発明における「制御コマンド情報」の一具体例に対応する。
【００７６】
この構成により、表示機器５０は、予め受信したジェスチャー動作対応表ＴＧに基づいて、操作補助画面７１を生成し表示する。そして、ユーザは、例えば表示機器５０の音量を増やしたい場合には、モバイル機器６０を上に動かす。これにより、モバイル機器６０は上に動いたことを示す独自の制御コマンドを生成し送信する。表示機器５０では、コマンド判定部５９が、受信したその制御コマンドを、このジェスチャー動作対応表ＴＧと比較することにより、その制御コマンドが音量を増やすための指示であることを判定する。
【００７７】
以上のように本実施の形態では、モバイル機器から表示機器に対してジェスチャー動作対応表ＴＧを送信するようにしたので、表示機器はジェスチャー動作と表示機器における動作との関係を把握することができ、その情報を表示することにより、ユーザがより簡単に表示機器を遠隔操作できる。その他の効果は、上記第１および第２の実施の形態の場合と同様である。
【００７８】
［変形例３−１］
上記実施の形態では、モバイル機器６０は表示機器５０のみを遠隔操作するようにしたが、これに限定されるものではなく、例えば、表示機器５０に加えて録画再生機器７０を操作するようにしてもよい。図１７は、本変形例における操作補助画面７１の表示例を表すものである。この場合、例えば、モバイル機器６０を左右に動かすことにより録画再生機器７０の早送りや巻き戻しを行い、モバイル機器４０を用いて円を描くことにより録画再生機器７０の再生および停止操作を行い、上下に動かすことにより表示機器５０の音量を調整することができる。
【００７９】
［変形例３−２］
上記実施の形態では、表示機器５０は、受信したジェスチャー動作対応表ＴＧに基づいて操作補助画面７１を生成するようにしたが、これに限定されるものではなく、これに加え、表示機器５０の状態や、表示機器５０において表示しているコンテンツに応じて、操作補助画面７１に表示するジェスチャー動作を変更できるようにしてもよい。具体的には、モバイル機器６０が、例えば、テレビ番組を表示する場合と電子番組表を表示する場合とで異なるジェスチャー動作対応表ＴＧを送信し、モバイル機器６０がそのジェスチャー動作対応表ＴＧに基づいて操作補助画面７１を表示するようにしてもよい。また、例えば、モバイル機器６０が、テレビ番組を表示する場合とBlu-ray Disc（登録商標）を再生する場合とで異なるジェスチャー動作対応表ＴＧを送信し、モバイル機器６０がそのジェスチャー動作対応表ＴＧに基づいて操作補助画面７１を表示するようにしてもよい。
【００８０】
以上、いくつかの実施の形態および変形例を挙げて本発明を説明したが、本発明はこれらの実施の形態等には限定されず、種々の変形が可能である。
【００８１】
例えば、上記の各実施の形態では、モバイル機器は、表示出力部を有するものとしたが、これに限定されるものではなく、これに代えて、表示出力部を持たないものであってもよい。この場合、例えば、モバイル機器は、赤外線などにより表示機器を遠隔操作するためのリモコンであってもよい。この場合でも、図６のようにリモコンの向きを変化させ、姿勢取得部２１がその姿勢および姿勢の動きを検出し、通常のリモコンモードからジェスチャーモードに動作モードを切り替えることにより、上述したような効果を得ることができる。
【００８２】
また、例えば、上記の各実施の形態では、動作モード判定部は、姿勢取得部において取得されたモバイル機器の姿勢に基づいて、動作モードを判定するようにしたが、これに限定されるものではなく、これに代えて、例えば、モバイル機器の姿勢の動きのみに基づいて動作を判定するようにしてもよく、あるいは、モバイル機器の姿勢とその動きの両方に基づいて、動作モードを判定するようにしてもよい。いずれの場合でも、動作モードを判定するモバイル機器の姿勢やその動きが、通常モードＮにおける通常の使用状態では起こりにくいものであれば、ユーザが意図しないときに誤って動作モードが切り替わる可能性を低減することができる。モバイル機器の姿勢の動きのみに基づいて動作モードを判定する例としては、例えば、モバイル機器を所定の回数強く振り、あるいは所定の方法によりモバイル機器を回転させ、それを検出して動作モードを判定してもよい。
【００８３】
また、例えば、上記第２および第３の実施の形態では、上記第１の実施の形態と同様に、モバイル機器の姿勢が変更されてから所定時間その姿勢が維持された後に動作モードの切り替え動作を行うようにしてもよい。
【００８４】
また、例えば、上記第２および第３の実施の形態では、モバイル機器２０は、上記第１の実施の形態と同様に、モバイル機器の表示出力部に重ねて配置されたタッチパネルも用いて表示機器１０を遠隔操作するようにしてもよい。
【００８５】
また、例えば、上記第２および第３の実施の形態では、動作モードは、上記第１の実施の形態と同様に、通常モードＮと２つのジェスチャーモードＧ１，Ｇ２の計３つのモードから構成されるようにしてもよい。
【符号の説明】
【００８６】
１，２，３…電子機器システム、１０，３０，５０…表示機器、１１…チューナ、１２…画像処理部、１３…表示出力部、１４…音声処理部、１５…音声出力部、１６，３６，５６…受信部、１７，２７，５７…制御部、１９，２９…表示画面、２０，４０，６０…モバイル機器、２１…姿勢取得部、２２…動作モード判定部、２３…ジェスチャー判定部、２４…操作入力部、２５…表示出力部、２６，４６，６６…送信部、３９，５９…コマンド判定部、５８…保持部、７０…録画再生機器、７１…操作補助画面、Ａ，Ｂ…通信手段、Ｃ１〜Ｃ４，Ｄ，Ｅ，Ｆ，Ｈ１，Ｈ２…遷移、Ｎ…通常モード、Ｇ，Ｇ１，Ｇ２…ジェスチャーモード、ＴＧ…ジェスチャー動作対応表。
【図１】
0005625506.tif 000002
【図２】
0005625506.tif 000003
【図３】
0005625506.tif 000004
【図４】
0005625506.tif 000005
【図５】
0005625506.tif 000006
【図６】
0005625506.tif 000007
【図７】
0005625506.tif 000008
【図８】
0005625506.tif 000009
【図９】
0005625506.tif 000010
【図１０】
0005625506.tif 000011
【図１１】
0005625506.tif 000012
【図１２】
0005625506.tif 000013
【図１３】
0005625506.tif 000014
【図１４】
0005625506.tif 000015
【図１５】
0005625506.tif 000016
【図１６】
0005625506.tif 000017
【図１７】
0005625506.tif 000018